(57)【要約】  ケーヴィック・スケートは、プロ用、アマチュア用を問わず、あらゆるタイプのスケートに使用される新しいブレードである。このスケートは、スケーターの動きに合わせて、短いスライド面から長いスライド面まで、２〜３ミリリットル単位で収縮する。このため、縦方向すなわち前後方向の滑走において、スケート直下の可動式プラスチック部品によって、摩擦効果が増大し、スピードが著しく伸びる。スチールは、変更または取替えのために容易にはめ込んだり、取り外したりするべく適合されたスチール・ストリップと取替えられる。このスケートによれば、プロの世界においては大きな問題となる付加をブレードがいくらか取り除くことができるので、このスケートでは磨耗による損傷を軽減する。【選択図】図２
2007528258.tif 000002
【特許請求の範囲】
【請求項１】
図１の（１）（２）に示されるように上下方向並びに捻りまたは傾斜方向への可撓性を有する、プラスチックまたは混成材料等からなるスケート用の可動型ブレードは、一体成型または同じ部品、図３（１７）、で作られるのに適合したブレードを示し、
あるいは、部品１と２とを固定または留めるのに適合した図２（４）の形状に押し込みまたははめ込みによって取り付けられ、
図１（３）の適合するスケート・ストリップが適合する形状の適当な位置にはめ込まれ、断面図２（１）、可撓性のストリップ・ホルダー、図２（１）、および、スケート・ストリップ、図２（３）、
あらゆるタイプのスケート用に適合された形状、図３（１ｂおよび１ｃ）、の適当な位置にはめ込まれる可撓性のスチール・ストリップ、図２（３）、によって、スピードまたは摩擦効果を増大させる効果を得、
スケート中、片方の足に全ての圧力または力がかかると、傾斜した四角形の形状に起因して、図３（１ａ）によって示されるように、ブレードは平坦になるかまたは撓み、
図３（１ｂおよび１ｃ）は、スケーターからの（全ての体重が一方の足にかかり）圧力が増大することにより、圧縮するガスまたは空気部４、あるいはバネ形状、図３（５ａおよび５ｂ）、によって上方または下方に撓むか、さらに、縦方向により長いスライド面とするために効果的な捻り、図３（２ａ、２ｂおよび２ｃ）、を示し、ターン能力を抑制することなく、摩擦効果とスピードの増大を達成し、
スケーターは、自身の全体重をスケートの前部または後部に移すことによりターン技術を自在に変更することもでき、スケートは、空気またはガス部によって旋回半径を減少させ（結果的に、全体的に伸び、伸びた形状または弾んだ形状１ａおよび１ｂ）、収縮し、図４（７ａおよび７ｂ）、
両足に等しい圧力がかかると、スケートは伸びて通常の旋回半径にまで戻り、図４（２）、あるいは、例えばホッケー用のスケートのように（およそ４ないし６センチメートルの）スライド面まで伸び、図４（３）、
スケーターがキックオフ（つま先接合部）において、１００％モーメントを望む場合には、図４（４）、適合するブリック５を上下に固定して調節し、スケーターが望むキログラム分まで強度を上げ、
プラスチックまたは混成材料等によって設計された可動性または可撓性により、スピードを伴いまたは伴わずに、また、氷上の接触面を大きくして、スケートを交差させることにより、ターンが容易となり、
既知の通り、スライド面が長いと、広範囲にわたって体重が分散するので摩擦効果が起き、著しくスピードが伸び、
スケーターが高速でターンに切り替えるとき、スケートの後部および前部は撓み、または捻り図４（２ａ、２ｂおよび２ｃ）、体に無理なく、通常の旋回半径となり、図３、最も鋭いターンにおいても、体の動きに合わせてターンする氷上の広いスチール面のおかげで、減速することなく、
スピードスケート（長いスケート）に適合させるために、構成は引き伸ばすことができ、図４（６ａおよび６ｂ）、
ガスまたは空気部は、折り曲げ可能なプラスチック等と置き換え可能であり、図３等（５ａおよび５ｂ）、
構成をより強固にし、必要に応じて構成部品を節約するために、プラスチック等はこれらの２つの部分を円筒状（可撓性）にすることも可能な、図３（６）、アイススケート用の伸びるブレード。
【請求項２】
図６は、ガスまたは空気部の代わりに円弧形状のプラスチックの形状であって、前部および後部において、さらに底部側から伸びまたは弾むようなブレードを図示し、ブレードは、図６（１）、ブレードの残りの部分に取り付けられており、
調整可能な変更例として、縦方向のネジ溝（３ａおよび３ｂ）を有し、ネジで前後にねじ留めされ（２ａおよび２ｂ）、両端部からねじ留めされ、図５（２ａおよび２ｂ）、スケートを好みに応じて強固にするような形状、（４ａおよび４ｂ）、に適合されるスライド・ブリック、図５（１ａおよび１ｂ）、であり、
あるいは、前部および後部の長さは、スケートが前方および後方へ一体となってさらに圧力をかけることにより異ならせることができ、または、その長さを伸ばしたり、図５（５）、スケートの半径を好みに応じて長さを増減でき、
可撓性の調整は、図５に示す通りに行われ、ネジ１が適合された形状（３ａおよび３ｂ）の前後にねじ留めされ得、スクリュードライバが前部または後部のネジ溝に適合する孔に配され、４ａおよび４ｂでは、レール部３ａおよび３ｂに固定される補助材料の厚みのみが示され、
図６では、ガスまたは空気部の変わりに円弧状の可動型部品が、前部および後部の開部分に配された、図６（２ａおよび２ｂ）、ブレードが示され、
図６（１）のストリップ・ホルダーは、ストリップなしで取り付けられたことを示すアイススケート用の伸びるブレード。
【発明の詳細な説明】
【技術分野】
【０００１】
１．記載
ケーヴィック・スケートは、あらゆるタイプのスケートに使用する新規なタイプのブレードであって、該ブレードは、ガスまたは空気枕を備えてもよいし、備えなくてもよい。これは、スケートの前部、中央部または後部にある空気部全体あるいは空気部の一部内の圧縮された空気のことである。
該ブレードは、ガスまたは空気枕の代わりに、前部、後部および中央部全体または一部に弾性部が構成され、弾んだり、静止したり、傾斜したり、捻ったり、跳ね上がったりする。圧力または付加が増大することにより（例えば、片足に全ての体重をかけたり、カーブでスピードを出すことなどにより）、著しい摩擦効果が得られる。
ブレードは、適合部品を溝にスライドさせることにより、（スケーターの体重に合わせて）硬さを変えることもできる。
増大する圧力または付加とは、スケーターが片足に全ての力を乗せたときに、ブレードが伸びて、その中央部が平坦になりスライド面を長くする。スケーターがターンしたり、カーブしたりすると（遠心力効果）、旋回半径によって、ブレードの前部および後部を上方に延ばすことにより、カーブ特性を抑制することなく、速度と長いスライド面は維持される。
体重を両足に分散させると、ブレードは、スライド面または半径の長さが戻って短くなる。（ブレードと切り離し、場合によってはねじ留めによってはめ込むこともできる）ストリップまたはスチールが固定された部分は、上方向、横方向および捻り方向に動かせる。
２．出願の分野
あらゆるタイプのスケートに使用可能なブレード。
【背景技術】
【０００２】
３．本発明の背景となる技術
調査によって発見された先行技術文献は、何としても達成されねばならない部分的に固定されたスチールの解決策として、スケートの中央部に滑走面を備え、両端部に丸みを帯びた上昇部を備えて、これらを研磨することによるものであり、摩擦効果を開示していない。
他の一例として、半径研磨を用いることもできる。すなわち、スケート・スチール全体の下に位置する固定された半径を研磨することである。いずれの方法もターンの際にスケートを操作し易くするものであるが、滑走面が短いためスピードが著しく落ちる。（短い滑走面にかかる増大された圧力）
【発明の開示】
【０００３】
４．本技術により特別に得られる利点
ブレード・フレームの構造および作図（傾斜した四角形、丸みを帯びた形状または空気部、「伸びる」構造または集合体）は、硬い土台（氷）の上で使用される場合、伸びることにより、より長いストロークに体重を分散させることができる。
（全ての体重が片足に乗って）圧力が増大することにより、ブレードが伸びるまたは平坦になり、スライド面が長くなると、土台との接触が増大し、摩擦効果が得られ、ターン能力を抑えることなくスピードが増大する。
スケートは、可動式の中央部、前部および後部によって半径にかかわりなく、スケーターの動きに従う。
スケートをクロスした位置で突然止めた場合のブレードは、スケートの中央部分よりも両端部のほうがより撓み易いので、常に、そのような状態が起きた後で、後部および前部にモーメントを与える。例えば、（キックオフにより）１００％のモーメントを有するつま先の接合部分の足がかりから、１．５ｍｍのモーメントを有する。すなわち、スケートは中央部において、所定のミリメータ以上の長さにはならない。例えば、１ｍｍ。
５．上記課題を達成するために必要な手段
ブレードは、上下、左右および捻り方向に可撓性を持って動くことのできるプラスチックの部品で作られる。
６．産業上の利用可能性
ブレードは、あらゆるタイプのスケートに使用できる。
【発明を実施するための最良の形態】
【０００４】
７．図番とともに記載された好ましい発明の詳細な説明
本発明は、図面および詳細な説明に基づき記載される。
ネジ１は、スケートの両端部において、該両端部にねじ留めされると、より強固に固定されることを示す。４ａおよび４ｂは、単に、溝の形状３ａおよび３ｂに固定された補助材料の厚みを示す。
【図面の簡単な説明】
【０００５】
【図１】本発明の実施例の説明図である。
【図２】本発明の実施例の説明図である。
【図３】本発明の実施例の説明図である。
【図４】本発明の実施例の説明図である。
【図５】本発明の実施例の説明図である。
【図６】本発明の実施例の説明図である。
【図７】本発明の実施例の説明図である。
【符号の説明】
【０００６】
１  ネジ
３ａ，３ｂ  溝の形状
４ａ，４ｂ  補助材料の厚み
【図１】
2007528258.tif 000003
【図２】
2007528258.tif 000004
【図３】
2007528258.tif 000005
【図４】
2007528258.tif 000006
【図５】
2007528258.tif 000007
【図６】
2007528258.tif 000008
【図７】
2007528258.tif 000009
【国際調査報告】
2007528258.tif 000010
2007528258.tif 000011